(57)【要約】【課題】簡単な手段で、従来自分が使用しているメガネをずり落ちの心配無しに運動や作業に使用できるようにする事。【解決手段】メガネのテンプル又はモダンに取付け取り外しできるパッドであって、円環体（１０）又は該円環体と同相の形状を有し、該円環体又は該円環体と同相の形状体の外側周面（１１）に少なくとも一箇所以上の、モダン又はテンプル（１４）を嵌入するための開口可能なスリット（１２）が内側周面（１３）にまで貫通して設けられているパッドを提供することにより解決を図った。【選択図】図１
2005283741.tif 000002
【特許請求の範囲】
【請求項１】
メガネのテンプル又はモダンに取付け又は取り外しが可能なパッドであって、円環体又は該円環体と同相の形状を有し、該円環体又は該円環体と同相の形状体の外側周面に少なくとも一箇所以上の開口可能なスリットが内側周面にまで貫通して設けられている事を特徴とする、メガネテンプル用のパッド。
【発明の詳細な説明】
【技術分野】
【０００１】
本発明は、メガネのテンプル部に取り付け取り外しが可能で、運動する場合等のメガネ又はテンプルのガタツキを防止するパッドに関する。
【背景技術】
【０００２】
従来、テンプルに取り付けられるパッドとしては、図１３のようにツノ形の本体３０と該本体の軸線とほぼ直角になるようなモダン挿入用のトンネル状の透孔３１が設けられた、実開平１―１６４４２３号のようなものや、球状又は種々形状の小製品に通穴又は切込みを作った、実開昭６２―１２１２３号が提案されている。
【０００３】
【特許文献１】実開平１―１６４４２３号
【特許文献２】実開昭６２―１２１２３号
【発明の開示】
【発明が解決しようとする課題】
【０００４】
しかしながら、上記実開平１―１６４４２３号に於いては、図１３に示す如く、透孔３１はモダンよりも小径にしなければモダン上にしっかりと固着できず、又透孔３１を小径にするとモダンを嵌めるときや外すとき非常に手間がかかってしまっていた。又、モダンの形状や大きさは色々あるために、なかなか直ぐに合うものが無く、そのためには種類をたくさん作り在庫しておく必要があった。次に、実開昭６２―１２１２３号（図示なし）に於いても同様にテンプルやモダンにきっちり合うようにしなければならず、モダンの挿入側端部は中程より幾分太くなっているので、入れるときすんなり入ったものは中程で少しぐらぐらし、中程できっちり嵌るものはなかなかモダン端部から入り難かった。
【課題を解決するための手段】
【０００５】
そこで本発明に於いては、上記課題を解決するために、円環体又は該円環体と同相の形状を有し、該円環体又は該円環体と同相の形状体の外側周面に少なくとも一箇所以上の、モダン又はテンプルを嵌入するための開口可能なスリットが内側周面にまで貫通して設けられているパッドを提供することにより上記課題の解決を図った。
【発明の効果】
【０００６】
本発明のパッドは簡単な構造であって、パッドスリット部内面とモダン又はテンプル表面との間の摩擦力と、モダンやテンプルの端部よりも大きく形成されたパッドスリット部がモダン又はテンプルが挿入されることにより広げられ、そしてその後元に戻ろうとする力により安定して保持されることが出来る。又装着したときはユーザーの頭部との摩擦により外れにくくなる。又、取り外しが簡単で、且つ、不使用時はテンプル合口部近辺で保持して置け便利である。又、頬骨近辺にも本発明のパッドは使用可能であり、これは小児用の眼鏡の使用にも役に立つ。又、激しい運動をする際や作業をする際においても、自分の従来使用しているメガネに使用可能であり、そして、安価に提供できる。
【発明を実施するための最良の形態】
【０００７】
メガネのテンプル又はモダンに取付け又は取り外しが可能な弾性を有する軟質樹脂からなるパッドであって、円環体又は該円環体と同相の形状を有し、該円環体又は該円環体と同相の形状体の外側周面に少なくとも一箇所以上の開口可能なスリットが内側周面にまで貫通して設けられたことを特徴とする、メガネテンプル用のパッド。
【実施例１】
【０００８】
図1は本発明の実施例の斜視図であり、この場合、スリット部が一箇所設けられた場合を表しており、弾性を有する軟質樹脂からなる円環体のパッド１０の外側周面１１にスリット１２がテンプル（又はモダン）１４が嵌入される際に開口可能なように内側周面１３にまで貫通して設けられた状態である。そして該スリット１２は多少大きめに形成されていても良く、そのためテンプル端部を簡単に嵌めることと外すことが出来る。そして、ここからテンプル（又はモダン）１４の端部を該スリット１２に嵌入し、そのままテンプル（又はモダン）の内側にパッド１０がくるように円環体の外側に持ち出し、パッド１０を適宜場所で保持し図２又は図３の如く耳から側頭部に掛ける。そして位置の微調整をすればそれでＯＫとなる。掛けたままで位置の微調整が出来るのも本発明の特徴である。
【０００９】
図４は本発明の実施例でパッド１０ａにスリット部１２ａ，１２ａを二箇所設けた場合の斜視図であって、この場合のスリット１２ａ，１２ａどうしの位置は水平であっても良いし、水平の位置に無くても構わない。そして、テンプル（又はモダン）１４ａを両方のスリット１２ａ，１２ａに嵌入して使用する。この場合はテンプル（又はモダン）１４ａへの保持力がより強くなる。又、スリット部は勿論三箇所、四箇所設けられても構わない。
【００１０】
そして、この場合は、頭部２０と接触するところに突起部１５が設けられても良い。そして、図5、図６は本発明のパッド１０ａが装着されて、耳から側頭部に掛けられた場合の側面図と平面図である。
【００１１】
図７は頬骨部分１６からテンプルにかけての位置で本発明のパッドを使用した場合の平面図であり、この場合でも、運動や作業に於いてはメガネＭはずれない。又、このような使用法として特に役に立つのは、子供用のメガネの場合であり、子供は成長が早いので少し大きめのメガネを使用することが多く、そうすると、作った当初はずり落ちてくるようなことが多く、なお視力を悪くしてしまうようなことになっていた。しかし、本発明のパッド１０ｂを使用することにより、少し大きめのメガネでも安心して掛けられ、顔又は頭部がメガネに合ってくれば直ぐに外せることとなる。又、不使用時にはＰの位置において置けるので、装飾を施してあれば飾りとしてメガネの見栄えを損なうこともない。
【００１２】
図８は本発明の説明用の他の実施例図であり、これは円環体と同相の形状の一例を表しており、所謂、位相幾何学的に同相又は位相同型の形状であれば本発明の目的は達せられる。
【００１３】
図９、図１０、図１１、図１２は図1の断面Ｓ又は図８のＡ―Ａ断面図の変化例を表しており、これも円形、楕円形、多角形、双円形、その他の形状であっても良く、又部分によって形状が異なっていても良い。又、円環体を外観上図１２の如く二つの円環体を重ねて双円形に形成したものも同じである。そして、材質的には、上記したように弾性を有する軟質樹脂又はゴム状のものであることが好ましく、又、該樹脂に磁気粉末やトルマリン粉末を混入して成型したものでも勿論構わない。
【００１４】
図１３は従来図である。
【図面の簡単な説明】
【００１５】
【図１】本発明の実施例の斜視図
【図２】図１の本発明のパッドを装着した側面図
【図３】図１の本発明のパッドを装着した平面図
【図４】本発明の実施例の斜視図
【図５】図４の本発明のパッドを装着した側面図
【図６】図４の本発明のパッドを装着した平面図
【図７】頬骨近辺に本発明のパッドを装着した場合の平面図
【図８】本発明の説明用の平面図
【図９】Ｓ又はＡ―Ａ断面図
【図１０】Ｓ又はＡ―Ａ断面図変化例
【図１１】Ｓ又はＡ―Ａ断面図変化例
【図１２】Ｓ又はＡ―Ａ断面図変化例
【図１３】従来図
【符号の説明】
【００１６】
１０  本発明のパッド
１１  パッドの外側周面
１２  スリット
１３  パッドの内側周面
１４  テンプル（モダン）
１５  突起部
１６  頬骨近辺
２０  頭部
Ｍ    メガネ
【図１】
2005283741.tif 000003
【図２】
2005283741.tif 000004
【図３】
2005283741.tif 000005
【図４】
2005283741.tif 000006
【図５】
2005283741.tif 000007
【図６】
2005283741.tif 000008
【図７】
2005283741.tif 000009
【図８】
2005283741.tif 000010
【図９】
2005283741.tif 000011
【図１０】
2005283741.tif 000012
【図１１】
2005283741.tif 000013
【図１２】
2005283741.tif 000014
【図１３】
2005283741.tif 000015